(57)【要約】この発明は個々の耳道に適合される成形体を含む補聴器の製造に関する。このために成形キャビティはいくつかの要素から作り出され、この成形キャビティは耳道の内部で充填される。成形材料が硬化した後、当該要素は１つを除いて取外され、電子機器モジュール（または別の機能を持つモジュール）と交換される。スナップ留めで互いに接合され得る要素は中央の成形空間要素（１）、外側の成形空間要素（２）および管要素（３）を含む。補聴器上に残る中央の成形空間要素（１）は外側および内側のリング（１．２および１．３）ならびに管状の延在可能な膜（１．１）を含み、当該膜は両方のリングの間に延在し、外部までの成形キャビティ（５）の範囲を放射状に定める。外側の成形空間要素（２）は外面上の成形キャビティの範囲を定め、外側のリング（１．２）に適合され、成形開口部（２．１）を含む。成形後、当該外側の成形空間要素が電子機器モジュールと交換される。管要素（３）は拡声器チャネルを開いておくのに役立ち、少なくとも部分的に可撓性があり、外側の成形空間要素（２）に対して固定されたまたは着脱可能な態様で接合され得、内側のリング（３．１）の開口部を本質的に閉じかつ内側のリング（１．３）の軸方向の可動性を制限し得るような態様で中央の成形空間要素（２）の内側のリング（１．３）に適合される。拡声器（４．４）を有する電子機器モジュールの形状は、その位置で成型体または外側のリング（１．２）に嵌合され得、少なくとも拡声器の出力が拡声器チャネルの内側に位置決めされるような態様で外側の成形空間要素（２）の形状に適合される。補聴器はその製造が単純であることを特徴とする。
2006506835.tif 000002
【特許請求の範囲】
【請求項１】
特定の耳道における成形体（７）を成形することによりこの耳道に適合される補聴器を製造するためのセットであって、前記補聴器は予備的状態では成形キャビティ（５）を含み、適合された最終的な状態では成形体（７）を含み、前記セットは以下の構成要素を含み、前記構成要素は、
内側のリングおよび外側のリング（１．２および１．３）と、２つのリングの間に延在し、外部まで前記成形キャビティ（５）の径方向の範囲を定める可撓性のある管状の拡張可能な膜（１．１）とを備えた中央の成形空間要素（１）と、
成形開口部（２．１）を備えた外側の成形要素（２）とを含み、前記要素は前記外側のリング（１．２）に適合され、外部に対し前記成形キャビティを閉鎖し、前記構成要素はさらに、
第１の端部領域（３．２）および第２の端部領域（３．３）を備えた少なくとも部分的に湾曲可能なチャネル要素（３）を含み、前記第１の端部領域（３．２）は前記外側の成形空間要素（２）に堅固に接続されるかまたは取外し可能に接続可能であり、前記第２の端部領域（３．３）は、この第２の端部領域（３．３）により前記内側のリング（１．３）の開口部が本質的に閉じられ得、前記内側のリング（１．３）の軸方向の可動性が制限され得るような態様で前記中央の成形空間要素（１）の前記内側のリング（１．３）に適合され、前記構成要素はさらに、
音響機能に役立ち、拡声器（４．４）を備えた電子機器モジュール（４もしくは４′）および／または他の機能に役立つ別のモジュールを含み、
前記外側の成形空間要素（２）の内側は、前記外側の成形空間要素（２）と前記チャネル要素（３）の前記第１の端部領域（３．２）との間の固定されたまたは取外し可能な接続部の位置が前記拡声器（４．４）の出力側の位置、または前記電子機器モジュール（４もしくは４′）の少なくとも部分的に湾曲可能な拡声器の延長部分（４．５）の位置に対応するような態様で前記電子機器モジュール（４もしくは４′）および／または他のモジュールの対応する内側に適合され、前記延長部分は前記拡声器（４．４）を保持し、および／または前記他のモジュールの等価な形状の部分の位置に対応する、セット。
【請求項２】
前記チャネル要素（３）はその第１の端部領域（３．２）が前記外側の成形空間要素（２）に堅固に接続され、前記チャネル要素（３）の前記第２の端部領域（３．３）が、前記中央の成形空間要素（１）の前記内側のリング（１．３）を通って移動し得る圧縮性の厚肉部として形成されることを特徴とする、請求項１に記載のセット。
【請求項３】
前記チャネル要素（３）はその第１の端部領域（３．２）が前記外側の成形空間要素（２）に取外し可能に接続可能であり、前記チャネル要素（３）の前記第２の端部領域（３．３）が、前記中央の成形空間要素（１）の前記内側のリング（１．３）を通って移動し得ない厚肉部として設計されることを特徴とする、請求項１に記載のセット。
【請求項４】
一方では前記中央の成形空間要素（１）の前記外側のリング（１．２）、ならびに他方では前記外側の成形空間要素（２）または前記電子機器モジュール（４もしくは４′）および／もしくは他のモジュールが、一方では前記中央の成形空間要素（１）と、他方では前記外側の成形空間要素（２）または前記電子機器モジュール（４もしくは４′）および／もしくは別のモジュールとの間に取外し可能な接続部を作り出すための、互いに協働する接続手段を含むことを特徴とする、請求項１から３のいずれかに記載のセット。
【請求項５】
前記チャネル要素（３）と前記外側の成形空間要素（２）との間、前記外側のリング（１．２）と前記電子機器モジュール（４，４′）および／もしくは別のモジュールとの間、または前記チャネル要素（３）と前記中央の成形空間要素（１）の前記内側のリング（１．３）との間における前記取外し可能な接続部のうち少なくとも１つは取外し可能なス
ナップ接続であることを特徴とする、請求項１から４のいずれかに記載のセット。
【請求項６】
前記中央の成形空間要素（１）の前記外側のリング（１．２）と前記外側の成形空間要素（２）との間の前記取外し可能な接続部は通気性があり、成形用塊に対して不浸透性であることを特徴とする、請求項４または５に記載のセット。
【請求項７】
通気チャネル（９）に空間を空けるための同様に湾曲可能な通気チャネル部分（３．４）は、前記外側の成形空間要素（２）に取外し可能に接続可能な前記チャネル要素（３）の前記第２の端部領域（３．３）上に配置されることを特徴とする、請求項３から６のいずれかに記載のセット。
【請求項８】
前記拡声器チャネル（８）または前記拡声器チャネル（８）および前記通気チャネル（９）のための前記中央の成形空間要素（１）は、前記内側のリング（１．３）上に締結される可撓性のある管（１．４，１．５）を含むことを特徴とする、請求項１から７のいずれかに記載のセット。
【請求項９】
前記中央の成形空間要素（１）はいくつかの異なる材料からなることを特徴とする、請求項１から８のいずれかに記載のセット。
【請求項１０】
異なる材料からなる前記中央の成形要素（１）の部分は、射出成形用金型によって互いの上に配置されることを特徴とする、請求項９に記載のセット。
【請求項１１】
前記外側のリングおよび前記内側のリング（１．２および１．３）がポリアミド、液晶ポリマー、ポリエーテルエーテルケトンまたはシリコーン材料からなり、前記膜（１．１）または前記膜（１．１）および前記可撓性のある管（１．４，１．５）はシリコーン材料または熱可塑性エラストマからなることを特徴とする、請求項９または１０に記載のセット。
【請求項１２】
請求項１から１１のいずれかに従ったセットから補聴器を製造するための方法であって、
外側の成形空間要素（２）が中央の成形空間要素（１）の外側のリング（１．２）の上または前記外側のリング（１．２）内に配置され、チャネル要素（３）が前記中央の成形要素（１）の内側のリング（１．３）の開口部を本質的に閉じ、前記内側のリング（１．３）の可動性を制限し、前記外側の成形空間要素（２）に接続されている予備的状態の補聴器を作製するステップと、
前記補聴器をその予備的状態で耳道に位置決めするステップと、
成形キャビティ（５）を成形用塊で埋め、前記成形用塊を硬化させるステップと、
前記補聴器を前記耳道から取外すステップと、
前記外側の成形空間要素（２）および前記チャネル要素（３）を取外すステップと、
電子機器モジュール（４，４′）または別のモジュールを前記外側の成形空間要素（２）の位置に位置決めするステップとを含む、方法。
【請求項１３】
少なくとも部分的に耳道に着用されるべき補聴器であって、前記補聴器は個々の部分と、前記個々の部分に取外し可能に接続される電子機器モジュール（４，４′）または別のモジュールとを含み、
前記個々の部分は耳道に適合される成形体（７）を含み、膜（１．１）がその周面上を外側のリング（１．２）から内側のリング（１．３）に延在し、拡声器チャネル（８）が耳道に適合するよう曲げられ、
拡声器（４．４）は、前記電子機器モジュール（４．４′）に一体化されるかまたは湾曲可能な拡声器の延長部分（４．５）もしくは前記別のモジュールの等価な形状の部分上
に配置される前記拡声器の出力側が、個々の部分が前記電子機器モジュール（４，４′）または前記他のモジュールに接続されたとき前記個々の部分の前記拡声器チャネル（８）に位置決めされるような態様で前記電子機器モジュール（４，４′）に配置される、補聴器。
【請求項１４】
前記個々の部分と電子機器部分（４，４′）または他のモジュールとの間の接続が取外し可能なスナップ接続であり、接続手段が外側のリング（２．１）上に配置され、これと協働する接続手段が電子機器モジュール（４，４′）または別のモジュール上に配置されることを特徴とする、請求項１３に記載の補聴器。
【請求項１５】
前記拡声器チャネル（８）を囲む可撓性のある管（１．４）は前記内側のリング（１．３）上に固定されることを特徴とする、請求項１３または１４に記載の補聴器。
【請求項１６】
通気チャネル（９）を含み、前記通気チャネル（１．５）を囲む可撓性のある管（１．５）が前記内側のリング（１．３）上に固定されることを特徴とする、請求項１３から１５のいずれかに記載の補聴器。
【請求項１７】
前記外側のリング（１．２）、前記内側のリング（１．３）、前記膜（１．１）および前記可撓性のある管（１．４，１．５）は２つまたは３つの異なる材料からなることを特徴とする、請求項１３から１６のいずれかに記載の補聴器。
【請求項１８】
前記外側のリングおよび前記内側のリング（１．２および１．３）は、ポリアミド、液晶ポリマー、ポリエーテルエーテルケトンまたはシリコーン材料からなり、前記膜（１．１）または前記膜（１．１）および前記可撓性のある管（１．４，１．５）はシリコーン材料または熱可塑性エラストマからなることを特徴とする、請求項１７に記載の補聴器。
【請求項１９】
前記成形体（７）は、前記膜（１．１）および前記可撓性のある管（１．４，１．５）のシリコーン材料に接続する低温−架橋シリコーン材料から成形されることを特徴とする、請求項１８に記載の補聴器。
【発明の詳細な説明】
【技術分野】
【０００１】
この発明は補聴器の分野にあり、対応する独立クレームのプリアンブルに従ったセット、方法および補聴器に関する。この発明に従ったセットおよび方法は補聴器を製造するのに役立つ。当該補聴器は、少なくとも部分的に耳道に着用され、予備的状態で成形キャビティを有し、耳道における成形キャビティを埋めることによりこの耳道に適合される補聴器の種類に属する。このため、この発明に従った補聴器は、その最終的な状態では、使用者の耳道に正確に適合される成形体を含む。この発明に従った補聴器は好ましくは、聴覚に対する補助器具、無線受信装置または別の音響機能を備えた装置である。しかしながら、この発明に従った補聴器は単に保護機能を有するだけでもよく、これは、たとえば雑音または水に対する保護プラグであり得ることを意味する。
【背景技術】
【０００２】
上述の種類の補聴器は、たとえば、公報ＥＰ−０８２１５４１（もしくはＵＳ−６２４９５８７）、ＥＰ−０８２１５４２（もしくはＵＳ−６０９７８２６）またはＥＰ−０８２１５４３（もしくはＵＳ−６０５２４７３）に記載される。これらの公報に記載される補聴器は拡張可能な膜を有し、この拡張可能な膜は装置の周辺面にわたって延在し、外側の端板上、および内側の端面を形成する拡声器上または拡声器を保持するリング上に取付けられる。端板、膜および拡声器は本質的には成形キャビティまたはその中に成形される成形体の範囲を定める。当該装置の電子機器構成要素は、ある程度浮動する態様で、かつそれらの相対位置がある程度個々の耳道の形状に同様に適合されるような態様で少なくとも部分的に成形体に成形される。成形手順については、成形用塊および成形キャビティのブリードを与えるために設けられる成形用型板が端板上に配置され、適切な場合には、耳道における補聴器の最も奥の部分を正確に位置決めするための位置決め具が内側の端面上に配置される。成形手順の後、成形用型板および位置決め具が取外され、これにより補聴器が本質的に完成し、直ちに着用されてもよい。
【発明の開示】
【発明が解決しようとする課題】
【０００３】
特に上述の種類の補聴器を開発する際に解決されるべき問題は、（特に、完全に耳道内に着用され、直径が１２ｍｍ未満、長さが２５ｍｍ未満の補聴器についての）小型化の問題であり、さらに、補聴器を着用する人（着用者）の耳道において実行可能な成形手順の安全性の問題である。さらに、成形手順後の装置は、さらなる処理なしに、またはせいぜい２、３回の簡単な手動操作の後に着用者に渡され得るように本質的に着用可能な状態であるべきである。これにも拘らず、着用者の要件に機能的に適合させることに関する条件を満たすことも可能であるべきである。これは、優れた着用快適性を提供し、経済的に許容可能な枠組内で製造可能であるべきである。
【０００４】
最先端技術に従った補聴器を用いると、上述の問題および要望はさまざまな態様で対処または充足される。上述の公報に従った補聴器は優れた方法で小型化、最小限の仕上げ作業および着用快適性についての要求を満たす。補聴器の末端（内側）領域における成形の安全性は申し分ないものである。耳道に適合させるための電子機器構成要素は操作が必要であり、成形手順を経るが、これによって損傷を受ける恐れがある。成形体および電子機器構成要素は完成した装置において互いに固定して接続される。すなわち、これは、電子機器部分が成形手順によって損傷を受ける場合、または欠陥のある成形体が成形手順で成形される場合、または完成した装置を用いても選択された電子機器が着用者にとって最適ではないことが確認された場合、完成した補聴器が交換される必要があることを意味する
。当該装置は修理され得ない。これは経済的な面に関して大変な悪影響を及ぼす。
【０００５】
この発明の目的は、少なくとも部分的に耳道に着用され、予備的状態では成形キャビティを含み、特定の耳道に適合された最終的な状態では成形キャビティに成形される個々の形状を有する成形体を含む補聴器を提供することである。当該補聴器は、小型化、安全性、直接的な利用可能性、機能適合性、着用快適性、修繕可能性および少なくとも経済性に関する要求を満たすことが可能であるか、または同じ種類の公知の補聴器よりもはるかに優れたものであるだろう。この発明の目的はさらに補聴器を製造するためのセットおよび方法を提供することである。
【０００６】
これらの目的は、添付の特許請求の範囲において規定されるように、セットと、方法と、当該方法に従った当該セットから製造される補聴器とによって達成される。
【０００７】
この発明に従った補聴器は、その予備的状態では２つまたは３つの要素（中央の成形空間要素および外側の成形空間要素、ならびに適切な場合には別個のチャネル要素）を含む。この状態では、当該補聴器は音響機能に役立つ構成要素（特に電子機器の構成要素）を１つも持たない。２つまたは３つの要素は、単純な解放可能な接続部、特に押込み式の嵌合スナップ接続部によって互いに接続される。これらは成形キャビティを規定し、耳道に差込むのに十分な安定性を持った予備的装置を提供し、耳道に最初に粗く適合させるよう少なくとも部分的に変形可能（湾曲可能）である。外側の成形空間要素および適切な場合には別個のチャネル要素が、成形キャビティに成形される成形体から取外され、外側の成形空間要素は、標準化され適切な場合には限定的に変形可能な電子機器モジュールと交換される。電子機器モジュールは、同時に、取外された外側の成形空間要素と同じ解放可能な接続部で成形体上に取付けられる。
【０００８】
補聴器に音響機能が備わっていない場合、電子機器モジュールと本質的に同じ形状をしているが、たとえば受動的な保護機能に役立ちそれに従って設計されている別のモジュールが電子機器モジュールの代わりをする。
【０００９】
中央の成形空間要素は、可撓性のある管状の拡張可能な膜によって互いに接続される内側のリングおよび外側のリングを有する。膜は、その拡張可能性のために、耳道に適合可能な装置の周辺面を形成する。２つのリングは、当該装置の内側および外側の端面の形状を本質的に決定する。
【００１０】
外側の成形空間要素は、その形状が中央の成形空間要素の外側のリングに適合されている。成形空間においては、これは、電子機器モジュールのための空間を本質的に空けたままにし、成形用塊に押込むための開口部（成形開口部）と、適切な場合にはブリード開口部とを含む。
【００１１】
成形体における拡声器チャネルをそのままにしておき、装置の軸方向の長さを規定するために、部分的に湾曲可能な少なくとも１つのチャネル要素が設けられる。当該チャネル要素は、予備的装置においては、外側の成形空間要素の内側から中央の成形空間要素の内側のリングへと延在する。チャネル要素は、その端部領域が解放可能または堅固に外側の成形空間要素の内側に接続され、もう一方の端部領域が中央の成形空間要素の内側のリングに適合され、さらに、当該要素の開口部を本質的に閉じ、その軸方向の運動能力の範囲を定めるような態様で有利には解放可能に当該内側のリングに接続される。チャネル要素に可撓性があるために、空間の空けられた拡声器チャネルは、場合によっては曲げられ個々の耳道に適合される形を取り、完成した装置におけるチャネルの適合された（曲げられた）部分が、拡声器の出力側もしくは当該装置の内側の端面の間、または拡声器の入力側もしくは当該装置の外側の端面の間に位置する。
【００１２】
電子機器モジュールは外側の端板に基づいており、適切な場合には、当該端板が一部を形成しているハウジングを含む。これは音響機能に役立つ構成要素をすべて含む（たとえば、マイクロフォン、増幅器、拡声器、受信コイル、蓄電池室および好適な配線）。当該拡声器は、その出力側が当該端板とは反対向きの態様で電子機器モジュールに収容される。適切な場合には、当該拡声器は電子機器モジュールの延長部分上に配置され、この延長部分は、電子機器モジュールの残りの部分に対する拡声器の位置合わせが制限された態様で変動し得るように曲げることができる。電子機器モジュールの代わりに、またはこれに加えて別のモジュールが設けられてもよく、当該別のモジュールは、電子機器モジュールではなく当該装置の成形体に適用可能であり、このために、少なくとも当該成形体の方に向けられたその内側の領域においては、外側の成形空間要素、および適切な場合にはチャネル要素に適合された形を取る。
【００１３】
弾力性のある押込み式の嵌合手段は、有利に協働すれば、中央の成形空間要素の外側のリング上、ならびに外側の成形空間要素上、または電子機器モジュールもしくは他のモジュール上に配置され、これにより、外側の成形空間要素または電子機器モジュールもしくは他のモジュールを中央の成形空間要素上に嵌合せたり、また取外したりすることも可能となる。このような押込み式の嵌合手段は、有利には、中央の成形空間要素の内側のリング上、およびチャネル要素上、または最終的な装置の内側の端面の上に配置され得る耳垢保護キャップ上に設けられる。
【００１４】
補聴器を製造するためのセットは、少なくとも上述の２つまたは３つの要素および電子機器モジュールまたは他のモジュールを含む。当該セットから補聴器を製造するための方法は、単純さを特徴とする以下のステップで実行される。
【００１５】
・中央の成形空間要素と、外側の成形空間要素と、適切な場合には別個のチャネル要素とを（ともに嵌合せて）予備的な補聴器へと組合せるステップと、
・当該予備的な補聴器を着用者の耳道に位置決めし、同時に、内側および外側の端面の相対位置に対してチャネル要素を曲げることによって当該予備的な補聴器を耳道に適合させるステップと、
・成形キャビティに成形用塊を押込み、当該成形用塊が硬化するのを待つステップと、
・成形体を備えた補聴器を耳道から取外すステップと、
・外側の成形空間要素と、適切な場合には別個のチャネル要素とを取外し、外側の成形空間要素の成形用塊の位置に電子機器モジュールまたは他のモジュールを（嵌合せて）配置するステップとを含み、これにより補聴器が着用できる状態となる。
【００１６】
この発明に従った補聴器の主な利点は、製造が単純なことまたは個別化にあり、さらに、個別化された部分（成形体を備えた中央の成形空間要素のみ）と機能的な部分（電子機器モジュール）とが極めて単純な方法および態様で接合され、また分離され得ることにある。このために、一方の部分またはもう一方の部分を個々に交換することが可能となり、電子機器モジュールが別々に備え付けられた完成した形状の補聴器を試用することが可能となり、さらに、着用者の要望および要件により良く適合させることができる。当該補聴器は修理可能であり、これにも拘らず、その周辺面の形状に対してだけでなく内側および外側の端面の相対位置に対しても特定の耳道に適合可能である。
【発明を実施するための最良の形態】
【００１７】
この発明に従ったセットおよび方法ならびにこの発明に従った補聴器のさまざまな実施例が、添付の図面により、より詳細に記載される。
【００１８】
図１は、中央の成形空間要素１、外側の成形空間要素２、別個のチャネル要素３および
電子機器モジュール４または４′を本質的に含むセットからこの発明に従った補聴器を製造する図を極めて概略的に示す。成形空間要素１および２ならびにチャネル要素３は、図１の一番左側に縦に並べて示される。この場合、中央の成形空間要素上に可撓性のある管状の膜１．１、外側のリング１．２および内側のリング１．３が認識され、外側の成形空間要素２上に成形開口部２．１、ブリード開口部２．２および接続手段２．３（たとえば、内側に狭くなる開口部）が認識され、チャネル要素３上に湾曲可能な中間部分３．１、外側の成形空間要素への接続手段として備え付けられる第１の端部領域３．２（たとえば弾力的に圧縮可能なヘッドピース）、第２の端部領域３．３（たとえば、内側のリング１．３の開口部よりも大きく、適切な場合には解放可能にこれに接続され得る端板または厚肉部）が認識され得る。成形キャビティの封止に対する他の措置がその内側領域においてとられない場合、チャネル要素３の第２の端部領域３．３および中央の成形空間要素１の内側のリング１．３は、端部領域３．３が少なくとも予想される成形用塊のために内側のリング１．３の開口部を密封状に閉じるような態様で設計されるべきである。
【００１９】
図１には、補聴器がその予備的状態で、すなわち要素１〜３が組立てられた状態で要素１〜３の右側に示される。図示される補聴器は、内側および外側の端面の相対位置に対してチャネル要素３の中央部分３．１の好適な湾曲によって既に耳道に適合されている。外側の成形空間要素２は中央の成形空間要素１の外側のリング１．２上または当該外側のリング１．２に位置決めされ、チャネル要素３の第２の端部領域３．３は内側のリング１．３上または当該内側のリング１．３に位置決めされ、チャネル要素３の第１の端部領域３．２は外側の成形空間要素２上に（押込み嵌合で、解放可能にスナップ接続して）固定される。
【００２０】
有利には、少なくとも外側のリング１．２および外側の成形空間要素２はさらなる協働する押込み式の嵌合手段を含み、これを利用して外側の成形空間要素２が外側のリング２．１に、または当該外側のリング２．１上に締結され、適切な場合には、２つの要素の相対的な回転位置がまた規定される。このような接続のための押込み式の嵌合手段は、リング１．２における窪み、および外側の成形空間要素２上における対応する一体形成部として図１に示され、当該一体形成部および窪みは、これらがスナップクロージャを形成するような大きさにされる。対応する接続手段はまた、内側のリング１．３とチャネル要素３の第２の端部領域３．３との間に設けられてもよい。このような接続部は、成形用塊のために封止されるような態様で設計され得る。この封止を向上させるためのさらなる手段が図３と組合せて以下にさらに説明される。
【００２１】
補聴器は、その予備的状態で患者の耳道に位置決めされる。好適な態様では、図示されないプレスが成形開口部２．１に接続され、これにより成形用塊が成形キャビティ５に押込まれる。同時に、有利には、ある種の上昇管がブリード開口部２．２上に配置され、成形キャビティ５が完全に充填されると、当該成形用塊が当該上昇管へと上昇し、当該成形用塊が上昇した高さが成形圧力に対する指標として読取られ得る。ブリード開口部２．２を省くこともでき、これに応じて成形用塊に対して通気性があるが封止するような態様で外側のリング１．２と外側の成形要素２との間に接続部を設計することもできる。
【００２２】
成形キャビティ５に押込まれた成形用塊が凝固した後に、外側の成形空間要素２とチャネル要素３とが除去される。成形体７および中央の成形空間要素３だけを含む補聴器の個別化された部分が残る。補聴器を完成させるために、電子機器モジュール４または４′が、たとえば外側の成形空間要素２への接続（弾力性のあるスナップ接続）に等しい接続により、この個別化された部分へと組立てられる。
【００２３】
電子機器モジュール４または４′は、たとえば、バッテリを備えた蓄電池室４．１、外側の端面の方に向けられたマイクロフォン４．２、増幅器チップ４．３、および内側の端
面の方に向けられた拡声器４．４、ならびに対応する配線（図示せず）を含む。当該拡声器４．４は、上記に述べられたように電子機器モジュール（モジュール４）に固定して一体化されるか、または拡声器の延長部分４．５（モジュール４′）に配置され、当該拡声器の延長部分４．５は、曲げることによりモジュールの残りの部分に対して異なるように位置合わせされ得る。拡声器の延長部分４．５を備えた電子機器モジュール４′が用いられる場合、チャネル要素３の好適な設計により、空間が空けられた拡声器チャネル４の、当該装置の内側の端面の方に向けられている領域が拡声器４．４に従って直線状に延びることが確実にされなければならない。このため、チャネル要素３の対応する領域は曲げられないかもしれない。
【００２４】
上述のとおり、電子機器モジュール４または４′ではなく、他の機能に役立つ別のモジュール、たとえば保護モジュールが用いられてもよい。電子機器モジュール４または４′のような保護モジュールは、たとえば外側のリング１．２上に嵌合せ可能でなければならず、拡声器チャネル８を外部に対して封止しなければならない。したがって、成形体７に面した側のもう１つのモジュールは、図１に示される電子機器モジュール４または４′のうちの一方またはもう一方と本質的に同じ形状でなければならない。
【００２５】
２つの完成した補聴器６および６′が図１の右端に示される。これらは、成形キャビティ５に成形される成形体７を含み、その外周面にわたり膜１．１によって張力がかけられ、その外形は着用者の耳道に正確に適合される。外側の成形空間要素２およびチャネル要素３が取除かれ、外側の成形空間要素が電子機器モジュールと交換される。装置６は、電子機器モジュール４に固定して一体化された拡声器と、内側の端面と拡声器４．４の出力側との間に延在し、個々の耳道に適合される湾曲部を有した拡声器チャネル８とを含む。装置６′は同様に、個々に曲げられた拡声器チャネル８を含み、その中に、電子機器モジュール４′の好適に曲げられた拡声器の延長部分４．５が、当該拡声器４．４の出力側が可能な限り鼓膜に近く位置決めされるように挿入される。
【００２６】
図１（左側部分）と同じ態様の図２は、この発明に従った補聴器のさらなる具体的な実施例を示す。特に、補聴器の要素は予備的状態で、特定的に個別に（左側）、かつ組立てられた状態で（右側）示される。図１と同じ要素には図１と同じ参照番号が付けられている。予備的な形の当該装置が３つの要素を含んでいる図１に従った実施例とは異なり、図２には、２つの要素、すなわち中央の成形空間要素１および外側の成形空間要素２しか存在しない。
【００２７】
チャネル要素３は、その第１の端部領域３．２においては、外側の成形空間要素２上に堅固に接続されて配置され、その第２の端部領域３．３においては、この端部領域がリング１．３の開口部を閉じ、リング１．３を軸方向の位置に制限する（最終的な形をした装置の軸方向の長さの定義）ような態様で中央の成形空間要素１の内側のリング１．３に適合された形を有する。チャネル要素の第２の端部領域３．３はたとえば図示のとおり圧縮性の厚肉部であり、これはリング１．３に嵌合わされてもよく、外側の成形空間要素２へのリング１．３の運動はさらなる内側の厚肉部によって妨げられる可能性がある。成形キャビティの封止が他に設けられない場合、チャネル要素３と内側のリング１．３との間のスナップ接続はこの封止に好適な態様で設計されるべきである。
【００２８】
図３は、三次元の部分断面図で、この発明に従った補聴器の予備的状態でのさらなる具体的な実施例を示す。当該装置は図１に従った装置と同じ種類の装置である。図１および図２と同じ部分は図１および図２と同じ参照番号で示される。図１に従った装置とは異なり、図３に従った装置は二重のチャネル要素を含み、拡声器チャネル部分（３．１／２）が図１に示されるように設計され、さらなる部分（同様に少なくとも部分的に湾曲可能な通気チャネル部分３．４）が通気チャネルの空間を空けるのに役立つ。第２の端部領域３
．３は両方のチャネル要素部分に役立つ。通気チャネル３．４のために、好適な開口部が外側の成形空間要素２に（これに応じて電子機器モジュールに）、または外側のリング１．２および内側のリング１．３に設けられる。
【００２９】
当該装置の内側の端面の領域における成形キャビティ５の封止を向上させるために、中央の成形空間要素１は、各々の場合、２つのチャネル要素３．１／２および３．４を収容するための可撓性のある管１．４および１．５を含む。これらの可撓性のある管は内側のリング１．３上に締結され、他の成形空間要素までの対応する距離をいくらか上回る長さを有する。チャネル要素部分３．１／２および３．４が可撓性のある管１．４および１．５に差込まれ、拡声器チャネル部分３．１／２が外側の成形空間要素２に接続される場合、可撓性のある管１．４および１．５がいくらか圧縮され、これにより、外側の成形要素２に押当てられるが、これは、可撓性のある管１．４および１．５と外側の成形空間要素２との間の封止に寄与する。
【００３０】
可撓性のある管１．４および１．５はまた、２つのチャネル要素部分３．１／２および３．４が図１に示されるように棒状に設計されるのではなく、柱をずらしたような形で設計されることを可能にする。この形状はまた、チャネルの断面を変えることなく延長部分の厚手の湾曲部分の空間を空けたままにしておくことも可能にする。
【００３１】
加えて、可撓性のある管１．４および１．５は、拡声器および通気チャネルから当該装置の（その最終的な状態での）周辺面までの距離が最短になるというような効果を奏する。
【００３２】
この発明に従った補聴器の実施例の中央の成形空間要素１は、図３にその予備的状態で示されるように、別々の位置にさまざまな材料特性を有するはずである。膜１．１は大きく拡張できるものでなくてはならない。外側のリング１．２および内側のリング１．３は弾力性があり、安定した形状でなくてはならない。可撓性のある管１．４および１．５は可撓性があるものでなくてはならない。このような中央の成形空間要素１は、個々の領域が互いの上に配置され、最後の成形ステップ後に成形空間要素の全体が射出成形用金型から取外され得るような態様で、射出成形技術により、たとえば３つの異なる材料から有利に製造され得ることが示されている。しかしながら、材料の異なる部分が互いに接着もしくは溶接されるか、または特にリング１．２および１．３と膜１．１との間の接続がクランプ接続として実現されるという点で中央の成形空間要素１を製造することも可能である。
【００３３】
中央の成形空間要素１を製造するための１つの具体的な射出成形法は以下のステップを有する：
・たとえばポリアミド、ＬＣＰ（液晶ポリマー）、ポリエーテルエーテルケトン（ＰＥＥＫ）または好適なシリコーン材料である外側のリング１．２および内側のリング１．３を成形する（壁の厚さ：０．１〜１．５ｍｍ）ステップと、
・さらなる型に内側のリング１．３を適用し、たとえば適度に拡張可能なシリコーン材料（たとえば付加もしくは縮合−架橋された２成分のシリコーン）または熱可塑性エラストマである可撓性のある管１．４および１．５を当該リング上に成形する（壁の厚さ：０．１〜１．５ｍｍ）ステップと、
・外側のリング１．２と、可撓性のある管１．４および１．５が接続されたおよび内側のリング１．３とをさらなる型に適用し、たとえば、大きく拡張可能なシリコーン材料（たとえば付加もしくは縮合−架橋された２成分のシリコーン）または熱可塑性エラストマから成形する（壁の厚さ：０．０５〜０．５ｍｍ）ステップとを含む。
【００３４】
有利には、成形体を成形するための成形用塊は、２つの材料が接続部を呈するような態
様で膜および可撓性のある管の材料に適合される。膜および可撓性のある管のために上述のシリコーン材料を用いる場合、成形用塊は有利には低温−架橋シリコーン材料である。しかしながら、成形用塊は、可能な限り急速に硬化し得るポリウレタンまたは別の材料であってもよい。
【００３５】
図４は、図３に従った補聴器を最終的な状態で示す。電子機器モジュール４は外側の成形空間要素の代わりに外側のリング１．２に嵌合される。電子機器モジュール４および外側の成形空間要素は、嵌合された電子機器モジュールにおける拡声器４．４の出力側が可撓性のある管１．４に向けられるような態様で互いに適合される。チャネル要素３の通気チャネル部分３．４と可撓性のある管１．５とによって空間が空けられた通気チャネル９は、装置全体を通って軸方向に延在する。
【００３６】
図４に従った補聴器の内側の端面の領域においては、チャネル要素の第２の端部領域に適合された形状の耳垢保護キャップ１０が配置され得る。適切な場合には、好適な接続手段（図示せず）がこのために内側のリング１．３上に設けられてもよく、これらの手段により、チャネル要素の上述の端部領域がまたリング１．３の内側に締結され得る。
【００３７】
図５は、予備的状態にある、すなわち成形キャビティ５を備えている、この発明に従った補聴器のさらなる具体的な実施例を示す。この装置は、拡声器チャネル８の、装置の内側に面している部分が拡声器に適合される、つまり特に当該部分が曲げられない範囲内で、図３および図４に従った装置とは異なる。これは、チャネル要素３の拡声器チャネル部分で実現され、その中央領域３．１は対応する位置上では変形不可能であるが、外側の成形空間要素２に面する位置では変形可能である。
【００３８】
図６は、成形手順後に図５に従った補聴器に適用され得る電子機器モジュール４′を示す。この電子機器モジュール４′の拡声器は拡声器の延長部分４．５の末端に配置され、その隣接する領域はチャネル要素３の対応する部分として湾曲可能である。
【００３９】
図５および図６から推論されるように、個別化された部分（中央の成形空間要素および成形体）に適用された電子機器モジュール４′の拡声器４．４は、拡声器チャネル部分３．１／２および可撓性のある管１．４によって空間のあけられた拡声器チャネルに位置決めされ、その出力側が内側のリング１．３の領域に位置決めされる。
【図面の簡単な説明】
【００４０】
【図１】（すべてが軸に対して平行な断面で示される）３つの要素および１つの電子機器モジュールを備えたセットからの、この発明に従った補聴器の２つの具体的な実施例の製造を示す概略図である。
【図２】（軸に対して平行な断面で示される）２つの要素を備えたセットからの、この発明に従った補聴器（予備的状態）のさらなる具体的な実施例の製造を示す概略図である。
【図３】この発明に従った予備的状態の補聴器のさらなる具体的な実施例を示す図（三次元の部分断面図）である。
【図４】図３に従った補聴器を最終的な状態で示す図（軸に対して平行な断面図）である。
【図５】この発明に従った予備的状態の補聴器のさらなる具体的な実施例を示す図（軸に対して平行な断面図）である。
【図６】図５に従った補聴器のための例示的な電子機器モジュールを示す図である。
【図１】
2006506835.tif 000003
【図２】
2006506835.tif 000004
【図３】
2006506835.tif 000005
【図４】
2006506835.tif 000006
【図５】
2006506835.tif 000007
【図６】
2006506835.tif 000008
【国際調査報告】
2006506835.tif 000009
2006506835.tif 000010
2006506835.tif 000011
2006506835.tif 000012
2006506835.tif 000013
2006506835.tif 000014